(57)【要約】【課題】フィルタの着脱が簡単であって、しかも、作業者が作業に集中できる電動工具を提供する。【解決手段】ハウジングにモータ２が収容され、該モータ２により駆動される作業工具が前部に配置され、ハウジングには通気口４８が設けられ、該通気口４８にフィルタ５０が着脱自在に装着される電動工具であって、ハウジングにフィルタ５０が前側から後側に向けてスライド装着され、ハウジングは前後方向に延びる胴部を備え、該胴部は、前側に対して後側が外側となる段差部４２を備えており、該段差部４２の後側に通気口４８が設けられ、段差部４２に差し込み口が前側に向けて開口している。【選択図】図１
2018075669.tif 000002
【特許請求の範囲】
【請求項１】
ハウジングにモータが収容され、該モータにより駆動される作業工具が前部に配置され、ハウジングには通気口が設けられ、該通気口にフィルタが着脱自在に装着される電動工具であって、
ハウジングにフィルタが前側から後側に向けてスライド装着されることを特徴とする電動工具。
【請求項２】
ハウジングは、通気口よりも前側の位置に差し込み口を備えており、該差し込み口からフィルタが通気口の内側に差し込まれる請求項１記載の電動工具。
【請求項３】
ハウジングは前後方向に延びる胴部を備え、該胴部は、前側に対して後側が外側となる段差部を備えており、該段差部よりも後側の位置に通気口が設けられ、段差部に差し込み口が前側に向けて開口している請求項２記載の電動工具。
【発明の詳細な説明】
【技術分野】
【０００１】
本発明は、モータを備えた電動工具に関する。
【背景技術】
【０００２】
モータはハウジングに収容されている。そのハウジングには通気口が設けられ、通気口を介してハウジング内外の通気を行っている。また、通気口から埃やゴミ等がハウジング内に進入しないように通気口にはフィルタが設けられ、フィルタによってゴミ等が遮断される。
【０００３】
このようなフィルタを備えた電動工具に関して、下記特許文献１ではフィルタ部材をハウジングの側面に後方から前方に向けてスライド装着させる構成が提案されている。この構成では、バッテリを取り外した状態においてのみフィルタ部材を脱着できる。そして、バッテリをハウジングに装着することで、バッテリがフィルタ部材の後部に当接し、バッテリがフィルタ部材の後方への抜け止めとして機能する。
【０００４】
かかる構成では、フィルタ部材を脱着するにあたってバッテリをその都度脱着しなければならず、作業が面倒であるという問題がある。また、バッテリ付きの電動工具に限られ、電源コード付きの電動工具にはこの構成を適用することができない。そして、バッテリがない電源コード付きの電動工具において仮にフィルタ部材を後方から前方に向けてスライド装着させる構成を採用すると、作業中にフィルタ部材が後方に抜け落ちる可能性がある。作業者は、電動工具の前部の作業工具を見ながら作業を行うため、後方のフィルタ部材は作業者の視界に入りにくい。そのため、作業中にフィルタ部材が後方に抜け落ちる可能性があり、作業者は、フィルタ部材の後方への抜け落ちを気にしながら作業を行うことになる。
【先行技術文献】
【特許文献】
【０００５】
【特許文献１】特開２０１６−７６８０号公報
【発明の概要】
【発明が解決しようとする課題】
【０００６】
それゆえに本発明は上記従来の問題点に鑑みてなされ、フィルタの着脱が簡単であって、しかも、作業者が作業に集中できる電動工具を提供することを課題とする。
【課題を解決するための手段】
【０００７】
本発明は上記課題を解決すべくなされたものであって、本発明に係る電動工具は、ハウジングにモータが収容され、該モータにより駆動される作業工具が前部に配置され、ハウジングには通気口が設けられ、該通気口にフィルタが着脱自在に装着される電動工具であって、ハウジングにフィルタが前側から後側に向けてスライド装着されることを特徴とする。
【０００８】
該構成の電動工具にあっては、フィルタをハウジングに装着する際、フィルタをハウジングに前側から後側に向けてスライドさせて装着する。従って、フィルタが仮にハウジングから外れるとしても前側に向けて外れることになる。作業者は前側を見ながら作業を行っているため、仮にフィルタが前側に外れようとしても容易に発見することができる。そのため、作業者はフィルタが外れることを気にすることなく集中して作業を行うことができる。
【０００９】
特に、ハウジングは、通気口よりも前側の位置に差し込み口を備えており、該差し込み口からフィルタが通気口の内側に差し込まれる構成であることが好ましい。このようにフィルタを差し込み口からハウジングの内側に差し込む構成とすると、フィルタがハウジングによって外側から保護される。そのため、例えば作業中にフィルタが他の物と衝突してフィルタが破損するということが防止される。
【００１０】
更に、ハウジングは前後方向に延びる胴部を備え、該胴部は、前側に対して後側が外側となる段差部を備えており、該段差部よりも後側の位置に通気口が設けられ、段差部に差し込み口が前側に向けて開口していることが好ましい。胴部に段差部が形成されている構成においては、その段差部を利用してそこに差し込み口を形成することにより、差し込み口に他の物が接触しにくくなる。そのため、差し込み口からフィルタが外れにくくなる。また、段差部よりも前側のハウジングの部分を把持する場合には、その把持している手の指を段差部に前側から当てることができ、段差部を手の引っ掛かり部として使用することもできる。そして、そのように手を段差部に当てることで、フィルタの前側への抜け落ちがより一層確実に防止されると共に作業に集中できる。
【発明の効果】
【００１１】
以上のように、フィルタをハウジングに前側から後側に向けてスライド装着させる構成であるので、簡単にフィルタを着脱でき、しかも、フィルタの抜け落ちを心配することなく安心して作業に集中できる。
【図面の簡単な説明】
【００１２】
【図１】本発明の一実施形態における電動工具の一部破断線を含む平面図。
【図２】同電動工具を正面から見た断面図。
【図３】同電動工具の底面図。
【図４】図２のＡ−Ａ断面図。
【図５】図２のＢ−Ｂ断面図。
【図６】（ａ）は図２のＣ−Ｃ断面図、（ｂ）は第一のカバー体と第二のカバー体を示す断面図。
【図７】図２の要部拡大図。
【図８】同電動工具に使用されているフィルタを示す平面図。
【図９】図７に対応した断面図であって、フィルタを取り外した状態を示す。
【図１０】本発明の他の実施形態における電動工具の一部破断線を含む要部平面図。
【図１１】同電動工具の正面から見た要部断面図。
【図１２】本発明の他の実施形態における電動工具の図４に対応した断面図。
【発明を実施するための形態】
【００１３】
以下、本発明の一実施形態にかかる電動工具について図１乃至図９を参酌しつつ説明する。本実施形態における電動工具は、グラインダであって、図１〜図３のように全体として前後方向に長い形状であり、その前端部に図示しない作業工具としての回転砥石が取り付けられる。作業者は、回転砥石を回転させて研磨作業を行ったり、切断作業を行ったりする。従って、回転砥石は回転工具である。尚、回転砥石側を前側とし、それとは反対側を後側とする。図１に示している平面視において、前後方向に対して直交する方向が左右方向であり、図２に示している正面視において、前後方向に対して直交する方向が上下方向である。図１、図２において、前側を符号Ｘ１、後側を符号Ｘ２、上側を符号Ｚ１、下側を符号Ｚ２、右側を符号Ｙ１、左側を符号Ｙ２で示している。
【００１４】
電動工具は、回転砥石を駆動するための駆動源としてのモータ２を備えている。モータ２は本実施形態においてブラシレスモータである。ブラシレスモータを採用することにより、後述のモータケース２２を小径化できる。モータ２はその主軸３が前後方向に沿うようにして配置されている。従って、主軸３は前後方向の軸線回りに回転する。主軸３は前後一対の軸受け４，５によって回転可能に支持されている。
【００１５】
モータ２の前側にはファン６が設けられている。該ファン６は、主軸３に取り付けられていて主軸３と一体となって回転する。ファン６が回転すると、ハウジング内の空気は後側から前側へと流れていく。ファン６の前側には、前側の軸受け４が配置されている。
【００１６】
前側の軸受け４の前側には、駆動伝達機構７が配置されている。該駆動伝達機構７は、主軸３の回転を回転砥石に伝達する。駆動伝達機構７は、主軸３の前後方向を中心とした回転を上下方向を中心とした回転に変換すると共にその回転を減速する。駆動伝達機構７は、上下方向の軸線回りに回転する工具軸８を有しており、その工具軸８の下端部に、回転砥石を取り付けるための工具取付部９を備えている。回転砥石は工具軸８と一体となって回転する。従って、回転砥石は、上下方向の軸線回りに回転する。
【００１７】
一方、モータ２の後側にはセンサー基板１０が配置されている。該センサー基板１０には、モータ２のロータ２ａの回転を検出するための図示しないホール素子が取り付けられている。センサー基板１０の後側に、後側の軸受け５が配置されている。
【００１８】
後側の軸受け５の後側には、回路ボックス１１が配置されている。該回路ボックス１１は、モータ２の中心線、即ち、主軸３の中心線よりも下側に配置されている。回路ボックス１１は、前後方向に長い直方体形状である。即ち、回路ボックス１１は、前後方向の寸法が左右方向の寸法及び上下方向の寸法に対して大きい。尚、回路ボックス１１の左右方向の寸法は、回路ボックス１１の上下方向の寸法よりも大きい。回路ボックス１１の内部には、図示しない回路基板が配置される。回路基板は種々であってよく、またその数も任意である。本実施形態では、回路基板として、ＡＣ−ＤＣ変換基板と、スイッチング素子基板と、マイコン基板（制御基板）とを備えている。
【００１９】
回路ボックス１１の上側にはスイッチ１２が配置されている。該スイッチ１２はモータ２を作動、停止させるためのＯＮ／ＯＦＦ切替スイッチである。スイッチ１２は、モータ２の中心線に対して左右何れかにオフセットして配置されている。スイッチ１２は、それを切替操作するための操作部１３を備えている。該操作部１３は、後側に向けて延びている。操作部１３は、例えば上下レバー式であって、上下に揺動する構成であり、例えば操作部１３を上側に揺動させるとモータ２が作動し、逆に操作部１３を下側に揺動させるとモータ２が停止する。但し、操作部１３は左右揺動タイプであってもよい。スイッチ１２の隣には電源コード１４が配置されている。電源コード１４は前後方向に延びている。スイッチ１２と電源コード１４は左右方向に並んで配置されていると共に、電源コード１４はモータ２の中心線に対して左右方向にオフセットして配置されている。電源コード１４のオフセットの方向はスイッチ１２のオフセットの方向とは反対側である。
【００２０】
電動工具は、外装材としてのハウジングを備えており、モータ２等の主要部品はハウジングに収容されている。ハウジングは、本実施形態において前後方向に並んだ三つの部材を備えている。即ち、ハウジングは、前側から順に、ギヤケース２１、モータケース２２、テールカバー２３という三つの部材から構成されている。ギヤケース２１の後端部にモータケース２２の前端部が接続され、モータケース２２の後端部にテールカバー２３の前端部が接続されている。本実施形態において、ギヤケース２１の後部とモータケース２２とテールカバー２３がハウジングの胴部を構成している。
【００２１】
ギヤケース２１は駆動伝達機構７を覆っている。ギヤケース２１は中央部で略９０度屈曲していて全体としてＬ字状であり、後方に開口する後方開口部と、下方に開口する下方開口部を有している。駆動伝達機構７の工具取付部９は、ギヤケース２１の下方開口部から下方に突出している。ギヤケース２１には排気側の通気口２４が形成されている。ギヤケース２１の通気口２４は複数箇所に設けられていることが好ましく、特には、ギヤケース２１の上部と下部にそれぞれ設けられていることが好ましい。ファン６によって前側に送られた空気がギヤケース２１の通気口２４からハウジングの外部へと排出される。従って、ギヤケース２１の通気口２４は排気口として機能する。尚、ギヤケース２１が前側の軸受け４を保持している。主軸３は、モータケース２２から前側に突出し、更に、前側の軸受け４を越えて前側に突出していてギヤケース２１の内側まで延びている。ギヤケース２１の後部は前後方向に延びる円筒状であって、その内側には雌ネジ部２５が形成されており、ギヤケース２１の後部の内側にモータケース２２の前部がねじ込まれている。ギヤケース２１の後部はモータ２の中心線と同軸である。
【００２２】
モータケース２２は、前後方向に延びる円筒状であって、モータ２の中心線と同軸である。モータケース２２の前部外周面には雄ネジ部２６が形成されており、該雄ネジ部２６がギヤケース２１の雌ネジ部２５と噛合している。尚、ギヤケース２１の後部の下部には径方向外側から径方向内側に向けて横ネジ２７がねじ込まれており、その横ネジ２７の先端部がモータケース２２の前部の外周面を押している。この横ネジ２７の押圧力により、モータケース２２とギヤケース２１との間のねじの緩みが防止されている。
【００２３】
モータケース２２の前部の内側にファン６が位置している。また、モータケース２２の内側にモータ２が位置して、モータケース２２の内周面に、モータ２のステータ２ｂが固定されている。モータケース２２の後部の内側に円筒状の軸受け保持部２８が形成されており、該軸受け保持部２８に後側の軸受け５が保持されている。軸受け保持部２８の外周面とモータケース２２の後部の内周面は、十字状に配置された連結部２９によって径方向に連結されている。図４、図５及び図６（ａ）のように、連結部２９は合計四本設けられているが、周方向に隣り合う連結部２９同士の間は空洞部３０となっていて、その空洞部３０によってモータケース２２の内部空間とテールカバー２３の内部空間が前後に連通している。
【００２４】
モータケース２２の後端部の外周面は一段小径とされていて、その外周面には前後方向に延びる雄側のセレーション３１が形成されている。該雄側のセレーション３１は、モータケース２２の後端部の外周面の全周に亘って形成されている。
【００２５】
テールカバー２３の前端部がモータケース２２の後端部の径方向外側に接続されている。テールカバー２３の前端部は円筒状の円筒部４０であって、該円筒部４０は、モータ２の中心線と同軸であって且つモータケース２２と同軸である。そのテールカバー２３の円筒部４０の内周面には雌側のセレーション３２が形成されている。雌側のセレーション３２は、テールカバー２３の円筒部４０の内周面の全周のうち一部の領域のみに形成されている。具体的には、図６のように、テールカバー２３の円筒部４０の内周面の全周のうち上部と下部にそれぞれ形成されている。但し、テールカバー２３の円筒部４０の内周面の全周に亘って雌側のセレーション３２が形成されていてもよい。モータケース２２の雄側のセレーション３１とテールカバー２３の雌側のセレーション３２によって、モータケース２２に対するテールカバー２３の前後方向の軸線回りの向き、即ち位相を合わせることができる。モータケース２２はギヤケース２１に前後方向の軸線回りに螺合する構成であるため、ギヤケース２１に対するモータケース２２の向きを所定の向きに合わせることが困難である。そこで、モータケース２２の雄側のセレーション３１に対するテールカバー２３の雌側のセレーション３２の噛み合い位置を周方向に変更することで、組み立て時において、モータケース２２の位相によらず、テールカバー２３の上下の向きを常に所定の向きにセットすることができる。
【００２６】
テールカバー２３は、その円筒部４０のみが前後方向の軸線を有する円筒状となっており、テールカバー２３の他の部分の断面形状は非円形となっている。テールカバー２３の円筒部４０の外周面の直径はモータケース２２の外周面の直径と等しく、従って、テールカバー２３の円筒部４０の外周面はモータケース２２の外周面と面一となっている。テールカバー２３の主要部４１における断面形状は、モータ２の中心線よりも上側半分の領域と下側半分の領域とで異なっている。テールカバー２３の主要部４１において、モータ２の中心線よりも上側半分の領域における断面形状は半円状であり、モータ２の中心線よりも下側半分の領域における断面形状は上側に開口したコの字状である。そして、テールカバー２３の主要部４１の底面部は、水平方向に延びる平坦面であって、その底面部の外面におけるモータ２の中心線からの距離は、テールカバー２３の円筒部４０の外周面の半径よりも大きい。従って、テールカバー２３の主要部４１の底面部の外面は、テールカバー２３の円筒部４０の外周面に対して、段差部４２を介して、一段下側に位置している。即ち、テールカバー２３の主要部４１の底面部は、テールカバー２３の円筒部４０よりも径方向外側（下側）に膨出している。尚、段差部４２は、前側から後側に向けて湾曲しつつ下側に延びている。
【００２７】
テールカバー２３は後壁面４３を有しており、上述したスイッチ１２の操作部１３はテールカバー２３の後壁面４３から後方に突出して延びており、電源コード１４はテールカバー２３の後壁面４３を前後に貫通している。テールカバー２３の後壁面４３は、テールカバー２３の後端部よりも前側に奥まった位置にあり、その後壁面４３から後方に向けて袖壁４４が延設されている。袖壁４４は全周に亘って形成されており、スイッチ１２の操作部１３は、テールカバー２３の袖壁４４の内側に位置している。このようにスイッチ１２の操作部１３の周囲に袖壁４４が形成されていることで、袖壁４４がガード壁となってスイッチ１２の操作部１３への不用意な接触を防止する。
【００２８】
テールカバー２３は上下二分割の構成であって、上側の半割部材である第一のカバー体４５と下側の半割部材である第二のカバー体４６から構成されている。第一のカバー体４５は、テールカバー２３の上側半分の領域を構成しており、そのテールカバー２３の上側半分の領域はモータ２の中心線よりも上側の領域である。第二のカバー体４６はテールカバー２３の下側半分の領域を構成しており、そのテールカバー２３の下側半分の領域はモータ２の中心線よりも下側の領域である。第一のカバー体４５と第二のカバー体４６はネジ４７により一体化される。ネジ４７は下側からねじ込まれる。尚、図６（ｂ）のように第一のカバー体４５の内面と第二のカバー体４６の内面のそれぞれに雌側のセレーション３２が形成されている。
【００２９】
テールカバー２３に吸気側の通気口４８が形成されている。通気口４８は、複数形成されている。具体的には、通気口４８は左右方向に長い細幅の形状ないしはスリット状であって、前後方向に間隔をあけながら複数並設されている。通気口４８は、テールカバー２３の主要部４１の底面部に形成されている。従って、通気口４８は段差部４２よりも後側に位置している。テールカバー２３の主要部４１の底面部の内側には回路ボックス１１が配置されているが、その回路ボックス１１の下側に通気口４８が位置している。上述のように、ファン６はハウジング内の空気を前側に送る。そのため、テールカバー２３の通気口４８から空気がテールカバー２３の内部に流入する。従って、テールカバー２３の通気口４８は吸気口として機能する。
【００３０】
テールカバー２３の通気口４８の内側にフィルタ５０が着脱可能に配置されている。フィルタ５０は全ての通気口４８を内側から覆っている。図７のように、フィルタ５０は、通気口４８が形成されているテールカバー２３の部分の内面に接触するようにして配置されている。但し、通気口４８が形成されているテールカバー２３の部分の内面からフィルタ５０を内側に若干離間して配置してもよい。また、回路ボックス１１はフィルタ５０の内側に所定の隙間を介して配置される。フィルタ５０は、図８及び図９のように、薄い板状であって、長方形状に形成されており、その長辺方向（長手方向）が前後方向となるようにして配置される。フィルタ５０の大きさは、全ての通気口４８を内側から覆うことができる程度の大きさである。
【００３１】
フィルタ５０は、ゴミ等の異物を遮断しつつ通気を確保するためのメッシュ状のフィルタ本体５１と、該フィルタ本体５１を保持するための保持枠５２とから構成される。保持枠５２は、複数の貫通孔が形成された板状であって、その貫通孔をフィルタ本体５１が覆っており、フィルタ５０がテールカバー２３に取り付けられた状態において、保持枠５２の貫通孔はテールカバー２３の通気口４８の内側に対応して位置する。フィルタ５０は、その長手方向の一端部に摘み部５３を有している。具体的には、フィルタ５０の前端部に摘み部５３が設けられている。該摘み部５３は、保持枠５２に設けられており、保持枠５２の他の部分に比して厚肉に形成されている。フィルタ５０がテールカバー２３に装着された状態において、摘み部５３はテールカバー２３の外部に露出し、摘み部５３以外の他の部分は全てテールカバー２３の内側に位置する。摘み部５３の外面には、摘みやすくするための凹部５４が形成されている。該凹部５４はフィルタ５０の短辺方向（短手方向）に沿って長い形状である。また、摘み部５３の内面には係合凸部５５が形成されており、テールカバー２３の外面には係合凹部４９が形成されており、フィルタ５０の装着状態において摘み部５３の係合凸部５５がテールカバー２３の係合凹部４９に係合する。但し、摘み部５３に係合凹部を設けてテールカバー２３に係合凸部を設けるようにしてもよい。
【００３２】
フィルタ５０はテールカバー２３に前後方向に沿ってスライドする。フィルタ５０をテールカバー２３にスライド装着する際にはフィルタ５０を前側から後側に向けてスライドさせる。逆に、フィルタ５０をテールカバー２３から取り外す際にはフィルタ５０を前側に向けてスライドさせる。図９のように、テールカバー２３には、フィルタ５０をテールカバー２３の内側に差し込むための差し込み口６０が形成されている。該差し込み口６０は、テールカバー２３の段差部４２に形成されていて、前側に向けて開口している。また、テールカバー２３には、差し込み口６０から後側に向けてガイドレール６１が形成されている。図４のように、ガイドレール６１は、左右一対形成されていて、通気口４８の内側の左右両側に位置している。ガイドレール６１は前後方向に沿って水平に延びている。ガイドレール６１は、左右方向に開口する溝状であって、断面視コの字状である。即ち、ガイドレール６１は雌型であって、そこにフィルタ５０の保持枠５２の左右両側縁部がそれぞれ係合する。フィルタ５０をテールカバー２３の差し込み口６０から後側に向けて差し込むと、フィルタ５０の保持枠５２の左右両側縁部がそれぞれ左右一対のガイドレール６１に入り込む。そして、フィルタ５０の保持枠５２の左右両側縁部が左右一対のガイドレール６１を摺動する。
【００３３】
以上のように構成された電動工具を使用する際には、片手もしくは両手で電動工具を把持して作業を行う。片手で電動工具を把持する場合には、例えば一方の手でモータケース２２を把持する。両手で電動工具を把持する場合には、例えば一方の手でモータケース２２を把持し、他方の手でテールカバー２３を把持する。このように、モータケース２２とテールカバー２３は何れも把持部として機能する。特にモータケース２２がメインの把持部として機能し、テールカバー２３はサブの把持部として機能する。モータケース２２はテールカバー２３の前側に位置していると共に内部には重量物であるモータ２を収容しているので、モータケース２２を把持することによって作業が容易になる。また、モータケース２２は比較的小径の円筒状であるので把持しやすい。更に、テールカバー２３には段差部４２が形成されているので、その段差部４２よりも前側の部分を把持したり、段差部４２を前後に跨ぐように把持したりすると、段差部４２に指を引っかけることができ、しっかりと把持することができる。
【００３４】
また、フィルタ５０が着脱自在であるので、簡単にフィルタ５０を取り外して清掃したり、交換したりすることができる。更に、フィルタ５０がテールカバー２３の内側に差し込まれる構成であるので、フィルタ５０がテールカバー２３によって外側から保護され、フィルタ５０の破損を防止できる。また、通気口４８の直ぐ内側に回路ボックス１１が配置されているので、回路ボックス１１を効率良く冷却できる。
【００３５】
また、フィルタ５０を前側から後側に向けてスライドさせてハウジングに装着する構成であるため、仮にフィルタ５０がハウジングから外れる場合であっても前側に向けて外れることになる。作業者は前側の回転砥石を見ながら作業を行っているため、後側には注意が行き届きにくい。従って、フィルタ５０を後側に取り外す構成では、作業者はフィルタ５０の外れを気にすることになり、作業に集中しにくくなる。それに対して、フィルタ５０を前側に外す構成とすると、作業者は心理的に安心でき、作業に集中することができる。
【００３６】
また、段差部４２にフィルタ５０の摘み部５３が露出しているので、段差部４２の近傍を把持することでフィルタ５０の摘み部５３を指で触れながら作業を行うことができる。そのため、指でフィルタ５０を後側に押すこともでき、フィルタ５０の前側への抜け出しを指で防止することができる。従って、フィルタ５０の外れを心配することなく安心して作業を行うことができる。
【００３７】
更に、フィルタ５０をテールカバー２３に装着すると、フィルタ５０の摘み部５３の係合凸部５５がテールカバー２３の係合凹部４９に係合するので、フィルタ５０がより一層抜け落ちにくくなる。また、係合凸部５５が係合凹部４９に係合したことが摘み部５３を介して手の指先に伝わるので、フィルタ５０が所定位置まで差し込まれたことを容易に把握できる。尚、フィルタ５０がテールカバー２３の所定部分に当接するまで後側に押し込めばよく、フィルタ５０をテールカバー２３の内側に差し込む構成であっても、所定位置まで容易にスライド装着できる。
【００３８】
一方、摘み部５３が外側に露出しているので、そこを摘んで容易にフィルタ５０を前側に引き出して取り外すことができる。その際、摘み部５３の外面に凹部５４が形成されているので、その凹部５４に指先を引っかけるようにしてフィルタ５０を容易に前側に引き出すことができる。しかも、摘み部５３は段差部４２から前側に突出した状態となっているので、フィルタ５０を少し前側に引き出せば、摘み部５３とモータケース２２との間に隙間が形成されるので、その隙間を利用して摘み部５３を上下に容易に摘むことができる。そして、摘み部５３を摘んでフィルタ５０を前側に容易に引っ張り出すことができる。
【００３９】
尚、図１２のように、テールカバー２３の主要部４１を把持する場合の把持性向上を主な目的として、主要部４１の底面部を左右方向に沿って円弧状に外面側に突出させた形状とした場合は、フィルタ５０も左右方向に沿って円弧状に外面側に突出させた湾曲形状として形成することで、フィルタ５０を主要部４１の底面部に沿わせて装着することが容易となる。尚、このようにフィルタ５０を予め左右方向に沿って円弧状に外面側に突出させた湾曲形状として形成するのではなく、フィルタ５０の保持枠５２を弾性変形可能に構成して、フィルタ５０をテールカバー２３に装着したときに湾曲するように構成してもよい。即ち、装着する前の通常の状態ではフィルタ５０は湾曲しておらずにフラットな状態にあるが、フィルタ５０をテールカバー２３に装着することで、自動的に左右方向に沿って外面側が凸に湾曲するようにしてもよい。このようにフィルタ５０を湾曲させると、ガイドレール６１との間の摩擦力が増加するので、より一層フィルタ５０が抜け落ちにくくなる。
【００４０】
また、上記実施形態では、ギヤケース２１の内側にモータケース２２をねじ込んで螺着させ、更に横ネジ２７で両者を押圧固定していたが、図１０及び図１１のようにナット７０で両者を固定するようにしてもよい。ナット７０は予めモータケース２２の雄ネジ部２６に螺合しておき、ナット７０をギヤケース２１側に回転させることで、いわゆるダブルナット構造によりギヤケース２１とモータケース２２との間のネジの緩みを防止する。このようにナット７０を用いてギヤケース２１とモータケース２２を固定する構成では、ギヤケース２１に対してモータケース２２を任意の角度に調整できる。即ち、モータケース２２の前後方向の軸線回りの向きを所定の向きにセットしたうえでナット７０によってその状態に固定することができる。そのため、モータケース２２とテールカバー２３との間にセレーション３１，３２を設けなくてもよい。
【００４１】
また、ハウジングがギヤケース２１、モータケース２２、テールカバー２３という三つの部材から構成されていたが、一つの部材や二つの部材から構成されていてもよい。また、テールカバー２３が上下二つ割りの構成であったが、左右二つ割りの構成としてもよい。ハウジングを全体として上下二つ割りの構成や左右二つ割りの構成としてもよい。
【００４２】
吸気側の通気口４８の位置についても種々変更可能であって、ハウジングの底面に設ける他、側面に設けてもよいし、上面に設けてもよい。また、フィルタ５０をハウジングの内側に差し込む構成としたが、ハウジングの外側にフィルタ５０がスライド装着される構成であってもよい。即ち、ハウジングの内面ではなく外面にフィルタ５０を前後方向に沿ってスライド自在に案内するためのガイドレール６１を設けるようにしてもよい。
【００４３】
尚、上記記実施形態では、電源コード１４付きの電動工具について説明したが、バッテリを備えた構成であってもよい。また、モータ２はブラシレスモータに限らずブラシ付きのものであってもよい。電動工具の種類についても任意であってグラインダには限られない。
【符号の説明】
【００４４】
２    モータ
２ａ  ロータ
２ｂ  ステータ
３    主軸
４    前側の軸受け
５    後側の軸受け
６    ファン
７    駆動伝達機構
８    工具軸
９    工具取付部
１０    センサー基板
１１    回路ボックス
１２    スイッチ
１３    操作部
１４    電源コード
２１    ギヤケース（ハウジング）
２２    モータケース（ハウジング）
２３    テールカバー（ハウジング）
２４    排気側の通気口
２５    雌ネジ部
２６    雄ネジ部
２７    横ネジ
２８    軸受け保持部
２９    連結部
３０    空洞部
３１    雄側のセレーション
３２    雌側のセレーション
４０    円筒部
４１    主要部
４２    段差部
４３    後壁面
４４    袖壁
４５    第一のカバー体
４６    第二のカバー体
４７    ネジ
４８    吸気側の通気口
４９    係合凹部
５０    フィルタ
５１    フィルタ本体
５２    保持枠
５３    摘み部
５４    凹部
５５    係合凸部
６０    差し込み口
６１    ガイドレール
７０    ナット
【図１】
2018075669.tif 000003
【図２】
2018075669.tif 000004
【図３】
2018075669.tif 000005
【図４】
2018075669.tif 000006
【図５】
2018075669.tif 000007
【図６】
2018075669.tif 000008
【図７】
2018075669.tif 000009
【図８】
2018075669.tif 000010
【図９】
2018075669.tif 000011
【図１０】
2018075669.tif 000012
【図１１】
2018075669.tif 000013
【図１２】
2018075669.tif 000014